(57)【要約】      （修正有）【課題】個体の情緒を感知しリラックスさせるシステムおよびその方法の提供。【解決手段】システムは、バイオセンサー１１０と情緒データベース１３０とメディアプレイヤ１４０と情緒分析モジュール１２０とを含む。その方法は、バイオセンサーを利用して１つのバイオシグナルを測定するステップと、情緒分析モジュールがバイオシグナルを分析し、３Ｄ情緒座標を構築し、そのバイオシグナルが３Ｄ情緒座標にある位置を割り出し、その個体の情緒の状態１３１を判断し、情緒データベースから当該情緒に対応するメディア情報１３３を取り出し、メディア情報をメディアプレイヤで放送し、個体の情緒を落ち着かせる。この方法は、個体の情緒を安全に落ち着かせ、個体の情緒異常によって生理上の疾患および個体固有の疾患を誘発することを防ぐことと、慢性的もしくは急性的な患者の長期的な医学的な監視および治療に適用することができる。【選択図】図１
2009142634.tif 000002
【特許請求の範囲】
【請求項１】
１個体の複数のバイオシグナルを測定する１つのバイオセンサーと、
複数の情緒状態情報と複数のメディア情報とを蓄積している１つの情緒データベースと、
１つのメディアプレイヤと、
当該バイオシグナルと一致する当該情緒状態情報を分析し、当該情緒状態情報に対応する当該メディア情報を出力し、当該メディアプレイヤで放送させる１つの情緒分析モジュールとを含む、情緒を感知しリラックスさせるシステム。
【請求項２】
前記情緒データベースにさらに少なくとも１つの治療アドバイスを含み、前記情緒分析モジュールが前記バイオシグナルと一致する前記情緒状態情報を得たとき、当該治療アドバイスをもとに当該情緒状態情報に対応する前記メディア情報を分析し、前記メディアプレイヤで放送させることを特徴とする請求項１に記載の情緒を感知しリラックスさせるシステム。
【請求項３】
前記情緒分析モジュールが確率近似法を用いて、前記バイオシグナルを分析し、前記治療アドバイスに対応する前記情緒状態情報を割り出し、当該情緒状態情報に一致する前記メディア情報を出力することを特徴とする請求項２に記載の情緒を感知しリラックスさせるシステム。
【請求項４】
前記バイオシグナルが指温度と心拍とSpO2（パルスオキシメトリによる酸化ヘモグロビン飽和度：Oxyhemoglobin
saturation by pulse oximetry）とを含むことを特徴とする請求項１に記載の情緒を感知しリラックスさせるシステム。
【請求項５】
前記情緒分析モジュールが前記バイオシグナルを座標軸として１つの３Ｄ情緒座標を構築し、当該座標軸で当該３Ｄ情緒座標を複数の情緒位相に分割することと、前記情緒分析モジュールが前記バイオシグナルと一致する前記情緒状態情報を分析する際に提供するために前記情緒データベースがさらに全ての前記情緒状態情報にそれぞれ対応する当該情緒位相を蓄積することとを特徴とする請求項１に記載の情緒を感知しリラックスさせるシステム。
【請求項６】
前記情緒分析モジュールが前記情緒状態情報に対応する前記メディア情報を出力するとき、前記バイオシグナルを持続的に分析しその変化を計算して１つの情緒指数を算出し、当該情緒指数を用いて前記情緒状態情報に対応する前記メディア情報を修正することを特徴とする請求項５に記載の情緒を感知しリラックスさせるシステム。
【請求項７】
１個体の複数のバイオシグナルを測定するステップと、
当該バイオシグナルを分析し、それに対応する１つ情緒状態情報を取得するステップと、
当該情緒状態情報に対応する１つのメディア情報と出力するステップと、
当該メディア情報を当該個体に放送するステップと
を含む情緒を感知し情緒をリラックスさせる方法。
【請求項８】
前記バイオシグナルが指温度と心拍とSpO2（パルスオキシメトリによる酸化ヘモグロビン飽和度：Oxyhemoglobin saturation by pulse oximetry）とを含むことを特徴とする請求項７に記載の情緒を感知し情緒をリラックスさせる方法。
【請求項９】
前記バイオシグナルを分析し、それに対応する１つ情緒状態情報を取得するステップが、
前記バイオシグナルを座標軸として１つの３Ｄ情緒座標を構築するステップと、
当該座標軸で当該３Ｄ情緒座標において複数の情緒位相を割り出すステップと、
前記情緒状態情報毎に対応するそれぞれ１つの情緒位相を設定するステップと、
前記バイオシグナルが存在する当該情緒位相と当該３Ｄ情緒座標の原点との距離を算出することによって、前記バイオシグナルが対応する前記情緒状態情報を判断するステップと、
を含むこととを特徴とする請求項７に記載の情緒を感知し情緒をリラックスさせる方法。
【請求項１０】
前記情緒状態情報に対応する１つのメディア情報と出力するステップが、
前記情緒状態情報を取得するステップと、
前記個体に対する少なくとも１つの治療アドバイスを取得するステップと、
当該治療アドバイスを利用して、前記情緒状態情報を分析し、前記情緒状態情報に対応する前記メディア情報を取得するステップと、
当該メディア情報を出力するステップと
を含むことを特徴とする請求項７に記載の情緒を感知し情緒をリラックスさせる方法。
【請求項１１】
前記治療アドバイスを利用して、前記情緒状態情報を分析ステップが、
確率近似法を利用して前記情緒状態情報を分析するステップと、
当該情緒状態情報に合う前記治療アドバイスの理想係数を取得するステップと
を含むことを特徴とする請求項１０に記載の情緒を感知し情緒をリラックスさせる方法。
【請求項１２】
前記バイオシグナルの変化に基づいて前記メディア情報を修正するステップをさらに含むことを特徴とする請求項７に記載の情緒を感知し情緒をリラックスさせる方法。
【請求項１３】
前記バイオシグナルの変化に基づいて前記メディア情報を修正するステップが、
前記バイオシグナルを分析し、その変化を割り出し、１つの情緒指数を算出するステップと、
当該情緒指数がマイナスの情緒指数であるか否かを判断し、当該情緒状態情報に対応するその他のメディア情報の中から最も高い優先順位のメディア情報を取得するステップと、
前記情緒状態情報に対応する当該メディア情報を更新し、当該バイオシグナルを分析し、当該変化を割り出すステップに戻るステップと
を含むことを特徴とする請求項１２に記載の情緒を感知し情緒をリラックスさせる方法。
【請求項１４】
１個体の複数のバイオシグナルを測定するステップと、
当該バイオシグナルを分析し、それに対応する１つ情緒状態情報を取得するステップと、
当該情緒状態情報に対応する１つのメディア情報と出力するステップと、
当該メディア情報を当該個体に放送するステップとを含む、
個体の情緒変化を測定し情緒をリラックスさせるシステムを実現するプログラムを記憶した、コンピュータが読み取り可能な記録媒体。
【請求項１５】
前記バイオシグナルが指温度と心拍とSpO2（パルスオキシメトリによる酸化ヘモグロビン飽和度：Oxyhemoglobin
saturation by pulse oximetry）とを含むことを特徴とする請求項１４に記載の記録媒体。
【請求項１６】
前記バイオシグナルを分析し、それに対応する１つ情緒状態情報を取得するステップが、
前記バイオシグナルを座標軸として１つの３Ｄ情緒座標を構築するステップと、
当該座標軸で当該３Ｄ情緒座標において複数の情緒位相に割り出すステップと、
前記情緒状態情報毎に対応するそれぞれ１つの情緒位相を設定するステップと、
前記バイオシグナルが存在する当該情緒位相と当該３Ｄ情緒座標の原点との距離を算出することによって、前記バイオシグナルが対応する前記情緒状態情報を判断するステップと、
を含むことを特徴とする請求項１４に記載の記録媒体。
【請求項１７】
前記情緒状態情報に対応する１つのメディア情報と出力するステップが、
前記情緒状態情報を取得するステップと、
前記個体に対する少なくとも１つの治療アドバイスを取得するステップと、
当該治療アドバイスを利用して、前記情緒状態情報を分析し、前記情緒状態情報に対応する前記メディア情報を取得するステップと、
当該メディア情報を出力するステップ
を含むことを特徴とする請求項１４に記載の記録媒体。
【請求項１８】
前記治療アドバイスを利用して、前記情緒状態情報を分析ステップが、
確率近似法を利用して前記情緒状態情報を分析するステップと、
当該情緒状態情報に合う前記治療アドバイスの理想係数を取得するステップと
を含むことを特徴とする請求項１７に記載の記録媒体。
【請求項１９】
前記バイオシグナルの変化に基づいて前記メディア情報を修正するステップをさらに含むことを特徴とする請求項１４に記載の記録媒体。
【請求項２０】
前記バイオシグナルの変化に基づいて前記メディア情報を修正するステップが、
前記バイオシグナルを分析し、その変化を割り出し、１つの情緒指数を算出することと、
当該情緒指数がマイナスの情緒指数であるか否かを判断し、当該情緒状態情報に対応するその他のメディア情報の中から最も高い優先順位のメディア情報を取得するステップと、
当該バイオシグナルを分析し、当該変化を計算するステップに戻すステップとを含む特徴とする請求項１９に記載の記録媒体。
【発明の詳細な説明】
【技術分野】
【０００１】
本特許出願は、2008年1月9日に出願された台湾特許出願第096147547号の優先権を主張し、その全内容を本特許出願に取入れ本特許発明の一部とする。また、本発明は情緒感知システムに関し、特に個体の情緒を感知しその情緒をリラックスさせるためにメディア情報を放送する情緒を感知しリラックスさせるシステムに関する。
【背景技術】
【０００２】
医療現場において、よく個体の指の表面温度を個体の情緒もしくは反応の指標とし、それを測定することで情緒の変化による個体の生理もしくは心理の疾患を事前に防ぎ治療効果をより高めるために用いられてきた。
【０００３】
中華民国（台湾）特許第M312974号が遠隔操作用医療装置に接続される情緒測定用の指キットを開示した。その指キットには、個体の指の温度を感知する部品と、処理部品と、遠隔操作器具との通信部品とからなる。その外形は指輪の状態で、指につけることで指温度を測定し、そのデータを、たとえば携帯電話、携帯（情報）端末（PDA）、ノート型コンピュータ、パーソナル・コンピュータなどの遠隔操作機械送信し、そこに表示させる。これによって、長期に渡って個体の生理状態を観察しその情緒の変化を判断した情報を医療スタッフに送信し、それに対応すべき医療行為を行うことができる。
【０００４】
しかしながら、この先行技術には、避けることができない以下の欠点がある。
【０００５】
その一、個体の情緒において、異なる情緒が異なるバイオシグナルを示すが、同じ指の温度でも、2種類以上の情緒をあらわすことができ、たとえば、うつ状態と緊張状態とにある個体の指温度はいずれとも比較的に低い。よって、個体の指温度でその個体の情緒を判断するには、その測定結果に大きな誤差が生じ得る。
【０００６】
その二、その先行技術は、個体の指の温度の変化だけで個体の情緒の変化を測定し、治療スタッフが長期にわたって観測し所望する情報を収集し分析して、個体にとって最も好ましい治療方法を調整するものである。しかしながら、個体の情緒の変化が大きくなるとき、その情緒を和らげる即効性のある手段を備わっていない。
【０００７】
【特許文献１】中華民国特許第M312974号
【発明の開示】
【発明が解決しようとする課題】
【０００８】
したがって、本発明が解決しようとする問題は、個体から異なる種類のバイオシグナルを収集し、そのバイオシグナルに対応する情緒状態を割り出し、その情緒状態に対応するメディア情報を放送することによって、個体の情緒を感知しリラックスさせるシステムおよびその方法を提供する。
【課題を解決するための手段】
【０００９】
上述したヒトの情緒をリラックスさせる問題を解決するために、本発明は、個体の情緒を感知し情緒をリラックスさせるシステムを提供する。このシステムには、１個体の複数のバイオシグナルを測定する１つのバイオセンサーと、複数の情緒状態情報と複数のメディア情報とを蓄積している１つの情緒データベースと、１つのメディアプレイヤと、当該バイオシグナルと一致する当該情緒状態情報を分析し、当該情緒状態情報に対応する当該メディア情報を出力し、当該メディアプレイヤで放送させる１つの情緒分析モジュールとが含まれる。
【００１０】
本発明は、バイオセンサーを利用して1個体の多種類のバイオシグナルを測定し、情緒分析モジュールを用いて、当該バイオシグナルに対応する情緒状態情報を割り出し、情緒データベースから当該情緒状態情報に対応するメディア情報を抽出し、メディアプレイヤを利用してそのメディア情報を放送することで個体の情緒をリラックスさせる。
【００１１】
本発明の情緒を感知しリラックスさせるシステムでは、その情緒分析モジュールが同種類のバイオシグナルを使って３Ｄの情緒座標を構築し、全ての情緒位相に情緒状態情報を対応させ、当該バイオシグナルが３Ｄの情緒座標における位置を計算し、それに対応する情緒位相を取得し、よって、個体の情緒状態を分析する。全ての情緒状態情報に対応する情緒位相の全ては情緒データベースに蓄積されている。
【００１２】
本発明の情緒を感知しリラックスさせるシステムでは、その情緒分析モジュールがメディア情報を出力した後も、バイオシグナルの変化を持続的に分析し、情緒指数を割り出し、当該情緒指数によって個体の情緒をリラックスさせることがうまく行かないときに、情緒データベースにある情緒状態情報が対応するメディア情報を修正する。
【００１３】
本発明の情緒を感知しリラックスさせるシステムでは、そのバイオセンサーが測量する情報に、指温度と心拍とSpO2（パルスオキシメトリによる酸化ヘモグロビン飽和度：Oxyhemoglobin
saturation by pulse oximetry）とを含む。
【００１４】
本発明のシステムは、記録媒体の形で実施することができる。つまり、記録媒体に記録された本発明のシステムを実現するプログラムを呼び出すことで上述した同じ方法で同じ問題を解決し、同じ効果を得ることができる。
【発明の効果】
【００１５】
本発明、従来技術に比べ以下の効果を有する。
【００１６】
その一、多種類のバイオシグナルによって構成される３Ｄの情緒座標は、情緒位相のいずれが個体の異なる情緒反応に対応しているので、正確かつ明確に個体の情緒状態情報を映し出すことができる。
【００１７】
その二、情緒状態情報によって個体の情緒をリラックスさせるメディア情報を放送することができ、長期的かつ友好的に個体の情緒の変化をコントロールすることができるので、個体の情緒の不安定によって生じる個体の生理および疾患に対する直接もしくは間接的な影響を防ぐことができる。
【００１８】
その三、情緒指数を利用して、放送されたメディア情報が個体の情緒をほんとにリラックスさせることができるか否かを判断する。リラックスさせる効果がうまく行かないときにおいて、当該情緒状態情報に対応するメディア情報を更新し、持続的にバイオシグナルの変化を分析することによって、情緒状態情報毎に情緒をリラックスさせるために最適なメディア情報を対応させることで、自動的に学習し、進化しそして修正することができる学習用モデルを形成させることができる。
【発明を実施するための最良の形態】
【００１９】
以下は実施例を参照しながら、本発明の目的、構造特徴およびその機能をさらに説明する。
【００２０】
図１は、本発明の実施例で示すシステムの概略図である。このシステムには、１つのバイオセンサー１１０と、１つの情緒データベース１３０と、メディアプレイヤ１４０と、情緒分析モジュール１２０とと含む。この情緒分析モジュール１２０は、バイオセンサー１１０と、情緒データベース１３０と、メディアプレイヤ１４０と接続されている。このバイオセンサーは、たとえば、以下に説明されるように指温度と心拍とSpO2とのような複数種類のバイオシグナルを測定する。情緒データベース１３０には、複数の情緒状態情報１３１と、複数のメディア情報１３３と、複数の情緒位相１３２とを含み、１つの情緒状態情報１３１が、１つの複数のメディア情報１３３と、１つの複数の情緒位相１３２とそれぞれに対応するが、それぞれの情緒位相１３２はバイオシグナルの特定の範囲を含む。情緒分析モジュール１２０は、指温度と心拍とSpO2となどの３種類のバイオシグナルを分析し、その３種類のバイオシグナルをもとに、１つ３Ｄの情緒座標を構成させ、そこに異なる情緒の位相１３２が形成される。情緒位相１３２毎に、怒り、悲しみ、緊張、平静、興奮、喜び、うつ、恐怖などのような個体の一種情緒反応を表す。情緒データベース１３０に情緒状態情報１３１と情緒位相１３２との間の対応関係が蓄積される。次いで、３Ｄ情緒座標におけるバイオシグナルの座標を計算し、その座標の情緒位相１３２を取得し、情緒データベース１３０から当該情緒位相１３２が対応する情緒状態情報１３１を割り出し、そしてその情緒状態情報に対応するメディア情報１３３を出力し、スピーカー１４０を利用して、個体に対して当該メディア情報１３３を放送することで、その個体をリラックスさせる。
【００２１】
情緒分析モジュール１２０には、メディア情報１３３を出力した後に、バイオシグナルの変化を計算し、プラスにもマイナスにもなる情緒指数を生成する自動学習モジュールが含まれる。プラスの情緒指数は、情緒分析モジュール１２０が出力したメディア情報１３３が個体当時の情緒をリラックスさせ、正常の状態に戻すことができることを意味し、また、マイナスの情緒指数は、情緒分析モジュール120が出力したメディア情報１３３がそのときの個体の情緒をリラックスさせることはできないことを意味する。よって、自動学習モジュールがマイナス指数を取得した場合は、メディア情報１３３の中から最適なメディア情報１３３を取得し、以前の情緒状態情報１３１に対応するメディア情報１３３を更新し、モニターレコード１３５に蓄積し、自動学習前の個体の情緒をリラックスさせることができないメディア情報１３３を避けることができる。
【００２２】
情緒データベース１３０には、個体が生成もしくは回避すべき情緒反応および変化を記録する治療アドバイス１３４がさらに蓄積されている。３Ｄ情緒座標の中にある個体のバイオシグナルの理想係数を算出することによって、情緒分析モジュール１２０がバイオシグナルに対応する情緒状態情報１３１を取得したときに、治療アドバイス１３４による理想係数を参考することで、情緒状態情報１３１に最適なメディア情報１３３を算出する。
【００２３】
情緒分析モジュール１２０が治療アドバイス１３４を参考する際に、確率近似法を用いて情緒状態情報１３１を分析する。情緒状態情報１３１に最も近く、治療アドバイス１３４の理想係数の取得のいかによって最適のメディア情報１３３を取得し、それを放送する。このメディア情報１３３は音楽であってもよく、映像であってもよい。
【００２４】
図２は、本発明の実施例の情緒を感知するおよび情緒をリラックスさせるシステムのフローで、当該システムは、図１のシステムの概略図と合わせて以下のようなステップで行われる。
【００２５】
個体の複数のバイオシグナル（ステップＳ２１０）を測定する。バイオセンサー１１０を利用して、個体の複数種類のバイオシグナルを測定する。ここでは、上述した指温度と心拍とSpO2とを例として説明する。
【００２６】
バイオシグナルを分析し、それに対応する１つの情緒状態情報１３１を取得する（ステップＳ２２０）。当該情緒分析モジュール１２０がバイオシグナルを取得した後、当該バイオシグナルを座標軸とする３Ｄ情緒座標を構築し、この座標軸によって、３Ｄ情緒座標における複数の情緒位相１３２を割り出し、各情緒位相１３２に対応する１つの情緒状態情報１３１を設定し、再度当該バイオシグナルが位置する情緒位相１３２と当該３Ｄ情緒座標の原点との距離を計算することで、当該バイオシグナルが対応する情緒状態情報１３１を判断する。
【００２７】
図３の如く、バイオセンサー１１０は、指温度（Ｔ）と心拍数（Ｐ）とSpO2（Ｏ）に基づいて構成される３Ｄ情緒座標のベクトルの座標（Ｔ、Ｐ、Ｏ）で定義される。この３Ｄ情緒座標は個体のバイオシグナルに合うように構成され、たとえば、一般成人の指温度が３６．５℃〜３７．０℃で、正常心拍数が７５以下で、SpO2が９５％以下であるので、その座標は（３７、７５、９５）となる。よって、ベクトル座標において（３７、７５、９５）と対応させる原点Ｒの座標は（０，０，０）で表すことになる。ベクトル座標において、（３７、７５、９５）に基づいて原点Ｒと対応した、全てのバイオシグナルのデータを実際の座標に置換えてバイオシグナルの３Ｄ情緒座標を構成させる。
【００２８】
正常の場合では、指温度Ｔの臨界値は２６℃〜４０℃の間で、心拍数は７５〜１５０の間で、SpO2が８５％〜１２０％である。よって、３Ｄ情緒座標の最大モデル値（４０、１５０、１２０）で、最小モデ値は（２６、７５、８０）である。推定される全てのモデルは、この２つのモデルに収まることになる。
【００２９】
各情緒位相１３２は情緒の一種類を表し、図３の如く、分析されたバイオシグナルの座標位置（Ψ１およびΨ２）が３Ｄ情緒座標のある情緒位相１３２にある。座標で定義された指温度と心拍数とSpO2との値が全てプラス（Ｔ＋、Ｐ＋、Ｏ＋）である場合はその情緒を「興奮」と定義するので、バイオシグナル位置（Ψ１およびΨ２）の全てが「興奮」の情緒位相１３２にあるとき、個体が外部要因もしくは自身によって指温度と心拍数とSpO2とが高まり、一種の「興奮」状態にあることを示している。情緒分析モジュール１２０はその判断結果から情緒のデータベース１３０から「興奮」を代表する情緒状態情報１３１を取得する。
【００３０】
情緒状態情報１３１に対応するメディア情報１３３（ステップ２３０）を出力する。当該情緒分析モジュール１２０が、当該情緒状態情報１３１を取得した後に、情緒データベース１３０から個体に対する少なくとも１つの治療アドバイス１３４を取得し、その治療アドバイス１３４を利用して情緒状態情報１３１を分析し、その情緒状態情報１３１に対応するメディア情報１３３を取得する。
【００３１】
この治療アドバイス１３４は、個体が生成しうるもしくは避けるべき情緒反応および情緒変化を蓄積し、個体のバイオシグナルと３Ｄ情緒座標との間最も理想のモデルを構成する。情緒分析モジュールが確率近似法を用いて情緒状態情報１３１を分析し、情緒状態情報１３１に合う治療アドバイス１３４の理想係数を取得し、その理想係数に適用することができるメディア情報１３３を算出し、そのメディア情報を出力する。メディアプレイヤ１４０を利用して個体に当該メディア情報１３３を放送（ステップ２４０）し、個体の情緒をリラックスさせる。
【００３２】
最後にバイオシグナルの変化に基づいてメディア情報１３３を修正し（ステップ２５０）、当該情緒分析モジュール１２０がメディア情報１３３を出力し、メディアプレイヤ１４０で放送した後に、持続的にバイオシグナルを分析し、備えてある自動学習モジュールでバイオシグナルの変化を計算し、１つ情緒の指数を割り出す。
【００３３】
この情緒指数には、プラス情緒指数とマイナス情緒指数とが含まれる。自動学習モジュールはその情緒指数がマイナス情緒指数であるか否かを判断し、判断の結果が非であれば、いま放送されたメディア情報１３３が個体の情緒をリラックスにさせるができることを意味する。逆の場合では、いま放送されたメディア情報１３３が個体の情緒をリラックスにさせることができないことを意味する。この場合では、いまの情緒状態情報１３１に対応する全てのメディア情報１３３を集め、当該メディア情報１３３と治療アドバイス１３４との理想的な配合の度合いで優先順位を生成し、その中から最も高い優先順位のメディア情報１３３を取り出し、最後に、いまの情緒状態情報１３１に対応するメディア情報１３３を更新し、その更新結果を情緒データベース１３０のモニターレコード１３５に記録する。これは、情緒分析モジュール１２０もしくは自動学習モジュールがより適切なメディア情報１３３を新たに計算し放送する際に、以前の不適切なメディア情報１３３を削除するために役に立つ。最後に、このバイオシグナルおよびその変化を持続的に分析する。
【００３４】
図４は、本発明実施例の第一態様システムの配置図である。この態様で本発明のシステムが、たとえば、ＭＰ３プレイヤ（MP3 Player）、携帯（情報）端末（Personal Digital
Assistant, PDA）、携帯電話(Hand-Held Phone)、ノート型コンピュータ(Hand-Held Computer)等のような携帯可能な移動装置４００に設置される。これらの携帯可能な装置４００の共通点は、これらの全てがプログラムを組み込ませるシステムで、携帯可能な装置４００にメディアプレイヤ１４０を有することである。
【００３５】
このバイオセンサー１１０は、個体に装着され、皮膚と接触可能であれば、その外形として指輪、ブレスレット、ネックレス、アームリング、フットリング等が例として挙げられ、ブロードバンド対応の赤外線センサーで主に複数のバイオシグナル（指温度、心拍数、SpO2）を同時に測定することができるものである。
【００３６】
メディアプレイヤ１４０は移動装置４００に設置されるが、情緒分析モジュール１２０と、情緒データベース１３０とはシステム４０１に組み込まれ、４０１によって駆動機動される。バイオセンサー１１０は、ケーブルもしくはワイヤレスで移動装置４００と接続される。ケーブルで接続される例としては、USBもしくはネットワークを介して接続され、ワイヤレスで接続される例としては、バイオセンサー１１０に無線発生装置を設置し、移動装置４００に無線受信装置を具備し、バイオセンサーからの無線信号を受信する方式が挙げられる。用いられる無線技術には、赤外線技術、ZigBee通信ネットワーク（たとえば802.15.4）、ブルートゥース技術もしくは地域無線ネットワークプロトコール（たとえば802.11B）などがある。
【００３７】
図５は、本発明実施例の第二態様システムの配置図である。このシステムは同様に携帯可能な移動装置５００に設置する。その違いは、そのメディアプレイヤ１４０が移動装置５００に設置されてなく、外部装置６００となっていることである。その例として、パーソナルコンピュータ（Personal Computer）、CD、もしくはDVDなどのプレイヤ、音響設備もしくはメディア情報１３３を放送することができるネットワーク装置などが挙げられる。
【００３８】
図５の如く、バイオセンサー１１０は個体に設置されるが、情緒分析モジュール１２０と、情緒データベース１３０とは同様にシステム４０１に組み込まれる。バイオセンサー１１０は、ケーブルもしくはワイヤレスで移動装置５００と接続され、移動装置５００も同様にケーブルもしくはワイヤレスで外部装置６００と接続される。
【００３９】
当該バイオセンサー１１０がバイオシグナルを分析し、対応する情緒状態情報１３１を判断し、対応するメディア情報１３３を取り出した後に、その判断結果を情緒データベース１３０もしくは移動装置の持つ記憶領域に格納し、ケーブルもしくはワイヤレスで外部装置６００と接続するとき、判断の結果が能動的もしくは受動的に外部装置６００に転送され、メディアプレイヤを利用して放送を行う。
【００４０】
本発明を実施するために最良の形態を以上のように開示したが、これらの態様は本発明を限定するものではない。当該技術分野の一般知識を有する者は、本発明の技術的思想の範囲において、本発明の構造に対する置換、変更のいずれとも本発明の技術的範囲にある。
【図面の簡単な説明】
【００４１】
【図１】本発明実施例でのシステムの基本構成を示す構成図。
【図２】本発明実施例での情緒を感知しリラックスさせるフロー。
【図３】本発明実施例での情緒３Ｄ情緒座標を示す図。
【図４】本発明実施例の第一態様システムの配置図。
【図５】本発明実施例の第二態様システムの配置図。
【符号の説明】
【００４２】
１１０          バイオセンサー
１２０          情緒分析モジュール
１３０          情緒データベース
１３１          複数の情緒状態情報
１３２          情緒位相
１３３          複数のメディア情報
１３４          治療アドバイス
１３５          モニターレコード
１４０          メディアプレイヤ
４００          移動装置
５００          移動装置
６００          外部装置
【図１】
2009142634.tif 000003
【図２】
2009142634.tif 000004
【図３】
2009142634.tif 000005
【図４】
2009142634.tif 000006
【図５】
2009142634.tif 000007
【手続補正書】
【提出日】平成20年3月31日(2008.3.31)
【手続補正１】
【補正対象書類名】図面
【補正対象項目名】全図
【補正方法】変更
【補正の内容】
【図１】
2009142634.tif 000008
【図２】
2009142634.tif 000009
【図３】
2009142634.tif 000010
【図４】
2009142634.tif 000011
【図５】
2009142634.tif 000012